(57)【要約】【課題】遊技機への組付け時や輸送時に電装品のコネクタの故障を防止できる遊技機を提供する。【解決手段】電装品である演出ボタンユニット１００は、その外面１０４ｓから突出するコネクタ１１５〜１１７を備え、外面１０４ｓに、少なくともコネクタよりも突出する突出部１２０，１２１が設けられているので、演出ボタンユニット１００を遊技機に組み付ける際に、演出ボタンユニット１００をそのコネクタが配置されている外面１０４ｓを下側に向けて作業台に仮置きしても、突出部が作業台に接触することによって、コネクタが作業台に接触するのを防止でき、また、輸送中は突出部が輸送箱の内壁に接触することによって、コネクタが当該内壁に接触するのを防止できる。したがって、遊技機への組付け時や輸送時にコネクタの故障を防止できる。【選択図】図７
2019017528.tif 000002
【特許請求の範囲】
【請求項１】
電装品を備えた遊技機において、
前記電装品は、その外面と面一または当該外面から突出するコネクタを備え、
前記外面に、少なくとも前記コネクタよりも突出する突出部が設けられていることを特徴とする遊技機。
【請求項２】
前記突出部は前記コネクタの近傍に配置されていることを特徴とする請求項１に記載の遊技機。
【請求項３】
前記突出部は、前記コネクタに接続されている接続ケーブルのうち前記外面上に位置する部分より突出していることを特徴とする請求項１または２に記載の遊技機。
【発明の詳細な説明】
【技術分野】
【０００１】
本発明は、ランプやモータ等が組み込まれた電装品を備えた遊技機に関する。
【背景技術】
【０００２】
パチンコ機やスロットマシン等の遊技機は、遊技の興趣を高める等の理由からランプやモータ等が組み込まれた複数種の電装品を備えており、これらの各種電装品は遊技機の内部に設けられた制御装置により制御されるようになっている。そして、この制御装置と各種電装品とはそれぞれハーネス等の接続ケーブルにより接続されるようになっており、各種電装品に対する接続ケーブルの接続は、コネクタを介して行なわれている（例えば、特許文献１参照）。
【先行技術文献】
【特許文献】
【０００３】
【特許文献１】特開２００５−３２９１２４号公報
【発明の概要】
【発明が解決しようとする課題】
【０００４】
ところで、前記電装品においては、接続ケーブルを接続するためのコネクタが電装品の外面とほぼ面一または当該外面から突出するようにして設けられている。コネクタには接続ケーブルを接続する必要があるので、このコネクタが電装品の外面より奥側にあると、接続ケーブルを接続し難くなるからである。
このような電装品は工場等で遊技機に組み付けられたり、または輸送箱等に収納され、所定の場所に輸送されたりする。このため、電装品を遊技機に組み付ける際に、当該電装品をそのコネクタが配置されている外面を下側に向けて作業台に仮置きすると、コネクタが作業台に接触することによって当該コネクタの接触箇所が故障する虞がある。
また、コネクタを輸送箱等に収納して輸送すると、輸送中にコネクタが輸送箱の内壁に接触することによって当該コネクタの接触箇所が故障する虞がある。
【０００５】
本発明は、前記事情に鑑みてなされたもので、遊技機への組付け時や輸送時に電装品のコネクタの故障を防止できる遊技機を提供することを目的とする。
【課題を解決するための手段】
【０００６】
前記目的を達成するために、本発明の遊技機は、電装品を備えた遊技機において、
前記電装品は、その外面と面一または当該外面から突出するコネクタを備え、
前記外面に、少なくとも前記コネクタよりも突出する突出部が設けられていることを特徴とする。
【０００７】
本発明においては、電装品の外面に少なくとも前記コネクタよりも突出する突出部が設けられているので、電装品を遊技機に組み付ける際に、当該電装品をそのコネクタが配置されている外面を下側に向けて作業台に仮置きしても、突出部が作業台に接触することによって、コネクタが作業台に接触するのを防止できる。
また、電装品の輸送中は突出部が輸送箱の内壁に接触することによって、コネクタが当該内壁に接触するのを防止できる。
したがって、遊技機への組付け時や輸送時に電装品のコネクタの故障を防止できる。
【０００８】
また、本発明の前記構成において、前記突出部は前記コネクタの近傍に配置されていることが好ましい。
【０００９】
このような構成によれば、突出部がコネクタの近傍に配置されているので、突出部をコネクタから前記近傍より遠い位置に配置する場合に比して、突出部の突出長さを短くできる。
【００１０】
ところで、電装品のコネクタに予め接続ケーブルを接続しておき、この接続ケーブルを備えた電装品を遊技機に組み付けたり、輸送箱に収納して輸送する場合、この接続ケーブルが組付け時に作業台に接触したり、輸送時に輸送箱の内壁に接触することで、この接続ケーブルからコネクタに無理な力が作用して、遊技機への組付け時や輸送時にコネクタに故障が生じる虞がある。
【００１１】
そこで、本発明の前記構成において、前記突出部は、前記コネクタに接続されている接続ケーブルのうち前記外面上に位置する部分より突出していることが好ましい。
【００１２】
このような構成によれば、突出部が、コネクタに接続されている接続ケーブルのうち前記外面上に位置する部分より突出しているので、電装品を遊技機に組み付ける際に、当該電装品をそのコネクタが配置されている外面を下側に向けて作業台に仮置きしても、突出部が作業台に接触することによって、接続ケーブルが作業台に接触するのを防止できる。
また、電装品の輸送中は突出部が輸送箱の内壁に接触することによって、接続ケーブルが当該内壁に接触するのを防止できる。
したがって、遊技機への組付け時や輸送時に接続ケーブルからコネクタに無理な力が作用するのを防止できるので、遊技機への組付け時や輸送時に電装品のコネクタの故障を防止できる。
【発明の効果】
【００１３】
本発明によれば、遊技機への組付け時や輸送時に突出部が作業台や輸送箱の内壁に接触することで、コネクタや接続ケーブルが作業台や内壁に接触するのを防止できるので、コネクタの故障を防止できる。
【図面の簡単な説明】
【００１４】
【図１】本発明の実施の形態に係る遊技機の一例を示すもので、その斜視図である。
【図２】同、演出ボタンユニットの取付け状態を示す斜視図である。
【図３】同、演出ボタンユニットの斜め前側から見た分解斜視図である。
【図４】同、演出ボタンユニットの斜め後側から見た分解斜視図である。
【図５】同、演出ボタンユニットのボタンユニット本体を基板とカバー部材とともに示す分解斜視図である。
【図６】同、演出ボタンユニットの断面斜視図である。
【図７】同、演出ボタンユニットを背面側から見た斜視図である。
【図８】同、演出ボタンユニットの背面図である。
【図９】同、演出ボタンユニットを作業台に仮置きした状態を示す図である。
【発明を実施するための形態】
【００１５】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１６】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１７】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１８】
上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部中央には、表示窓３１の上方に表示窓３２が設けられている。この表示窓３２は上扉３０に設けられた液晶表示パネルを有する画像表示装置（ディスプレイ）の表示面を見るために設けられたものであり、この画像表示装置では、その表示面に遊技機における演出用の画像が表示されるようになっている。なお、画像表示装置は、演出用の画像を表示できるものであれば、液晶ディスプレイ以外のディスプレイであってもよい。
また、上扉３０の表示窓３２の上部および左右両側部には、報知や演出などを行うためのランプ３３ａ,３３ｂが設けられている。
【００１９】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００２０】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００２１】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２２】
また、操作部５０の右側上方でかつ表示窓３１の右横には、演出ボタンユニット（電装品）１００が設けられている。この演出ボタンユニット１００は、遊技者によって演出ボタン１０１が押下操作されるものであり、押下されることで例えば表示窓３２を通して見える液晶表示パネルを有する画像表示装置に表示される演出画像の態様を変化させ、遊技者に対して遊技への参加意識を高めるとともに、興趣を高めるようにしたものである。例えば、演出ボタン１０１の操作に連動して画像表示装置に表示される演出画像を選択することができる。
【００２３】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うためのランプ３３ｄが設けられている。
【００２４】
前記演出ボタンユニット（電装品）１００は、図２に示すように、表示窓３１が設けられるフレーム８０に右側部に取り付けられている。フレーム８０は横長矩形枠上に形成されており、フレーム８０の中央部に表示窓３１が設けられ、右側の演出ボタンユニット１００がフレーム８０の裏面側から取り付けられ、演出ボタン１０１の先端部が遊技機Ｍの前面側に露出している。演出ボタン１０１の先端部は遊技機Ｍの前面側に露出しているので、意匠部を構成している。このように、演出ボタン１０１の先端部は意匠部を構成しているので、演出ボタンユニット１００を遊技機Ｍに組み付ける際に、当該演出ボタンユニット１００を図９に示すように作業台１５０に仮置きする場合に、演出ボタン１０１が上側になるように仮置きして、演出ボタン１０１が傷付くのを防止している。
【００２５】
演出ボタンユニット１００は、図３および図４に示すように、演出ボタン１０１を備えたボタンユニット本体１０２と、ボタンユニット本体１０２の裏面に取り付けられた電子基板１０３と、ボタンユニット本体１０２の裏面に電子基板１０３のほぼ全体を覆うようにして取り付けられた透明なカバー部材１０４とを備えている。ボタンユニット本体１０２はその外周部に取付部１０２ａ，１０２ａを備えており、この取付部１０２ａ，１０２ａをフレーム８０の裏面側に設けられた図示しない固定部に当接したうえで、取付部１０２ａ，１０２ａから図示しないネジを前記固定部にねじ込むことによって、演出ボタンユニット１００がフレーム８０に取り付けられている。
【００２６】
ボタンユニット本体１０２は、図５および図６に示すように、演出ボタン１０１と、取付ベース１０５と、ケーシング１０６とを備えている。
演出ボタン１０１は、前面が閉塞された円筒状に形成されており、その基端部にはフランジ部１０１ａが形成されている。フランジ部１０１ａの外周部には取付部１０１ｂ，１０１ｂが径方向に対向し、かつ径方向外側に突出するようにして設けられるとともに、係合部１０１ｃが取付部１０１ｂから周方向に離間し、かつ軸方向基端側（図５においてＺ方向右側）に突出するようにして設けられている。また、取付部１０１ｂにはネジ１１０ａを挿通するための孔が形成されている。
【００２７】
取付ベース１０５は、ボタン取付部１０５ａと、このボタン取付部１０５ａの下部に一体的に設けられたモータ取付部１０５ｂとを備えている。
ボタン取付部１０５ａは略円形キャップ状に形成されており、その外周壁１０５ｃの先端面に演出ボタン１０１のフランジ部１０１ａが当接されるようになっている。また、外周壁１０５ｃには円筒状の固定部１０５ｄ，１０５ｄがその軸をＺ方向に向け、かつ径方向に対向するようにして設けられるとともに、凹部１０５ｅが固定部１０５ｄから周方向に離間して設けられている。また、固定部１０５ｄの内周面には前記ネジ１１０ａをねじ込むための雌ねじ部が形成されている。また、外周壁１０５ｃの外周面には断面略半円状でかつＺ方向に延在する凸条１０５ｇが周方向に所定間隔で複数設けられている。
【００２８】
そして、演出ボタン１０１は、そのフランジ部１０１ａをボタン取付部１０５ａの外周壁１０５ｃの先端面に当接するとともに係合部１０１ｃを凹部１０５ｅに係合することで、取付ベース１０５に対する位置決め（軸方向（Ｚ方向）および周方向の位置決め）がなされている。この状態において、演出ボタン１０１の取付部１０１ｂ，１０１ｂの孔と取付ベース１０５の固定部１０５ｄ，１０５ｄの雌ねじ部とが同軸に配置され、当該孔にネジ１１０ａを挿通したうえで、雌ねじ部にねじ込むことによって、演出ボタン１０１が取付ベース１０５のボタン取付部１０５ａに取付け固定されている。
【００２９】
モータ取付部１０５ｂは、取付ベース１０５の前面側（図５にＺ方向左側）に開口した略矩形箱状に形成されており、底壁は上下２段に形成されている。そして、低い側の底壁にモータ１０７が設置されている。モータ取付部１０５ｂの開口部には矩形板状の蓋１０５ｆがネジ１１０ｂ，１１０ｂによって固定され、これによって、モータ取付部１０５ｂにモータ１０７が固定されている。つまり、蓋１０５ｆはモータ１０７に圧接して、当該モータ１０７をモータ取付部１０５ｂの奥側の壁部に押し付けることによって、モータ１０７を固定している。
また、モータ１０７の駆動軸１０７ａはＺ方向と直交する方向に向けられており、当該駆動軸１０７ａには偏心錘１０７ｂが取付けられている。偏心錘１０７ｂは、駆動軸１０７ａに同軸に取付けられたリング状の回転体と、この回転体の内側略半分に設けられた半円板とを備えている。そして、このようなモータ１０７は、駆動軸１０７ａが駆動することによって偏心錘１０７ｂが回転し、これによって振動するようになっている。モータ１０７が振動することによって、取付ベース１０５が振動し、演出ボタン１０１が振動するようになっている。
【００３０】
ケーシング１０６は前面側が開口した略箱状に形成され、当該ケーシング１０６には取付ベース１０５が軸方向（図５においてＺ方向）に移動可能に収納されている。すなわち、ケーシング１０６は略３／４円筒状の円筒外周壁１０６ａと、この円筒外周壁１０６ａの下側に設けられて、当該円筒外周壁１０６ａの両端部に接続された略矩形箱状の矩形外周壁１０６ｂとを備えている。また、円筒外周壁１０６ａの上部には、径方向外側に略半円筒状に膨出する膨出部１０６ｃが設けられている。
【００３１】
また、ケーシング１０６の奥側の壁部１０６ｋには、円筒外周壁１０６ａの内側において円筒状の支持部１０６ｄ，１０６ｄと、円柱状の支持部１０６ｅ，１０６ｅとが立設されている。支持部１０６ｄ，１０６ｅは隣り合って配置されており、支持部１０６ｄ，１０６ｄどうしおよび支持部１０６ｅ，１０６ｅどうしは斜め上下に離間して配置されている。なお、支持部１０６ｅの方が支持部１０６ｄより若干長く形成されている。
さらに、壁部１０６ｋには円筒外周壁１０６ａの内側においてバネ部材１０６ｆが設けられ、このバネ部材１０６ｆの左側でかつ壁部１０６ｋの左側部にハーネス挿通用の挿通孔１０６ｈが設けられている。
【００３２】
そして、取付ベース１０５のボタン取付部１０５ａがケーシング１０６の円筒外周壁１０６ａの内側にＺ方向に移動可能に挿入され、取付ベース１０５のモータ取付部１０５ｂがケーシング１０６の矩形外周壁１０６ｂの内側にＺ方向に移動可能に挿入されている。この状態において、取付ベース１０５の裏面とケーシング１０６の壁部１０６ｋとの間には隙間が設けられ、取付ベース１０５の裏面がバネ部材１０６ｆに当接している。
また、取付ベース１０５の凸条１０５ｇがケーシング１０６の円筒外周壁１０６ａの内周面にＺ方向に摺動可能に摺接し、取付ベース１０５のモータ取付部１０５ｂの左側壁がケーシング１０６の矩形外周壁１０６ｂの左側壁の内面にＺ方向に摺動可能に摺接している。
【００３３】
したがって、取付ベース１０５はバネ部材１０６ｆの付勢力に抗してケーシング１０６の奥側の壁部１０６ｋに向けて移動可能であるとともに、バネ部材１０６ｆの付勢力によって壁部１０６ｋから離間する方向に移動可能となっている。このような取付ベース１０５には演出ボタン１０１が取り付けられているので、遊技者が演出ボタン１０１を押圧することによって、演出ボタン１０１はバネ部材１０６ｆの付勢力に抗して奥側（Ｚ方向右側）に移動し、遊技者が演出ボタン１０１を押圧しないか、または押圧力を小さくすることによって、バネ部材１０６ｆの付勢力によって前側（Ｚ方向右側）に移動するようになっている。
【００３４】
なお、取付ベース１０５の裏面には２本の突出部１０５ｈ，１０５ｈが裏面から後方に突出するようにして設けられ、当該突出部１０５ｈ，１０５ｈがケーシング１０６の壁部１０６ｋに設けられた挿通孔にＺ方向に移動可能に挿通されている。図６に示すように、突出部１０５ｈの先端部にはネジ１１０ｄがねじ込まれ、このネジ１１０ｄの頭部が挿通孔の内周面に形成されたリング状のフランジ部１０６ｊに当接することによって、取付ベース１０５がケーシング１０６からバネ部材１０６ｆの付勢力によって逸脱しないように規制している。
【００３５】
また、取付ベース１０５の内側には、複数のＬＥＤ１１２ａを有するＬＥＤ基板１１２が配置されている。このＬＥＤ基板１１２は取付ベース１０５の奥側の壁部１０５ｋから離間しており、取付ベース１０５に固定されていない。すなわち、ケーシング１０６の壁部１０６ｋに設けられている支持部１０６ｄ，１０６ｅの先端部が壁部１０５ｋを摺動可能に挿通されており、当該支持部１０６ｄ，１０６ｅの先端面がＬＥＤ基板１１２の裏面に当接されている。支持部１０６ｄにはＬＥＤ基板１１２を通してネジ１１０ｃがねじ込まれており、支持部１０６ｅの先端に設けられている小径突起１０６ｉがＬＥＤ基板１１２に形成された位置決孔に挿通されている。これによって、ＬＥＤ基板１１２はその位置決めがされるとともに、支持部１０６ｄ，１０６ｅを介してケーシング１０６に固定されている。また、ＬＥＤ基板１１２の裏面にはコネクタ１１２ｃが設けられている。このコネクタ１１２ｃは取付ベース１０５の壁部１０５ｋに設けられた開口部（図示略）を介して取付ベース１０５の裏面側に露出している。
【００３６】
ボタンユニット本体１０２の裏面に取り付けられた電子基板１０３（以下、基板と略称することもある。）１０３はプリント基板であり、図４に示すように、その裏面に３つのコネクタ１１５，１１６，１１７を備えている。コネクタ１１５は横長の略直方体状に形成されており、このコネクタ１１５には、遊技機の内部に設けられた図示しない制御基板に接続された、接続ケーブルとしてのハーネス（図示略）が接続されるようになっている。ハーネスは電源供給や信号通信に用いられる複数の電線を束ねた構造をなし、その両端部には接続用の接続コネクタが取り付けられている。一方の接続コネクタがコネクタ１１５に接続され、他方の接続コネクタが制御基板に設けられたコネクタに接続されるようになっている。
基板１０３は中継基板として機能するものであり、当該中継基板１０３には前記制御基板からハーネス、コネクタ１１５を介して電源（電流）や制御信号が供給されるようになっている。
また、中継基板１０３の一方の側部には切欠部１０３ａが形成され、他方の側部には切欠部１０３ｂが形成されている。
また、図３および図５に示すように、中継基板１０３の表面には略コ字形のフォトセンサ１０３ｄが設けられている。一方、図４に示すように、ケーシング１０６の裏面には突起１０６ｇが設けられており、この突起１０６ｇは演出ボタン１０１を押下することによって、フォトセンサ１０３ｄの内側に進入するようになっている。これによって、演出ボンタン１０１が押下されたことを検出するようになっている。
【００３７】
コネクタ１１６は縦長の略直方体状に形成されており、このコネクタ１１６に接続ケーブルとしてのハーネスＣ１の一端部が接続されている。このハーネスＣ１は中継基板１０３の裏面側を切欠部１０３ａに向けて引き回され、さらに切欠部１０３ａ、ケーシング１０６に設けられた挿通孔１０６ｈを通って、他端部がＬＥＤ基板１１２のコネクタ１１２ｃに接続されている。
なお、ハーネスＣ１の両端部にはそれぞれ図示しない接続コネクタが取り付けられており、一方の接続コネクタがコネクタ１１６に接続され、他方の接続コネクタがＬＥＤ基板１１２のコネクタ１１２ｃに接続されている。そしてＬＥＤ基板１１２には、ハーネスＣ１を介して電源（電流）や制御信号が供給されるようになっている。
【００３８】
コネクタ１１７は縦長の略直方体状に形成されており、コネクタ１１６の直下に設けられている。このコネクタ１１７に接続ケーブルとしてのハーネスＣ２の一端部が接続されている。このハーネスＣ２は中継基板１０３の裏面側を切欠部１０３ｂに向けて引き回され、さらに切欠部１０３ｂ、ケーシング１０６に設けられた挿通孔１０６ｈを通って、他端部がモータ１０７用の図示しない基板のコネクタに接続されている。なお、ハーネスＣ２の両端部にはそれぞれ図示しない接続コネクタが取り付けられており、一方の接続コネクタがコネクタ１１７に接続され、他方の接続コネクタがモータ１０７用の基板のコネクタに接続されている。そして、モータ１０７用の基板には、ハーネスＣ２を介して電源（電流）や制御信号が供給されるようになっている。
【００３９】
図７および図８に示すように、このような中継基板１０３はケーシング１０６の裏面にネジ止めによって固定されており、さらに、このケーシング１０６の裏面には、透明なカバー部材１０４が中継基板１０３の裏面をほぼ覆うようにして、ネジ止めによって固定されている。
図３および図４に示すように、カバー部材１０４は、略矩形板状に形成されており、一方の側部に矩形状の切欠部１０４ａが形成されている。この切欠部１０４ａによって中継基板１０３の切欠部１０３ａの一部が露出している（図７および図８参照）。また、カバー部材１０４は立壁１０４ｄを有している。この立壁１０４ｄはカバー部材１０４の平板部１０４ｅの外周縁部からケーシング１０６の裏面側に向けて突出するようにして設けられている。また、平板部１０４ｅの上縁部の略中央部には、中継基板１０３側にケーシング１０６の裏面側に向けて突出する突出部１０４ｆが設けられている。
【００４０】
このようなカバー部材１０４は立壁１０４ｄおよび突出部１０４ｆをケーシング１０６の裏面に当接した状態で当該ケーシング１０６に固定されている。したがって、ケーシング１０６の裏面とカバー部材１０４との平板部１０４ｅとの間には隙間があり、この隙間に中継基板１０３が配置され、当該中継基板１０３はケーシング１０６の裏面に固定されている。この状態において、中継基板１０３の表面とカバー部材１０４の平板部１０４ｅとの間には隙間がある。したがって、カバー部材１０４の平板部１０４ｅが中継基板１０３の表面に形成されている配線パターンに接触することはない。
【００４１】
また、図７および図８に示すように、カバー部材１０４の略中央部には縦長の矩形状の開口部１０４ｂがカバー部材１０４を貫通して形成され、この開口部１０４ｂの上側に横長の矩形状の開口部１０４ｃがカバー部材１０４を貫通して形成されている。
開口部１０４ｂはコネクタ１１６，１１７をまとめてカバー部材の１０４の表面側に露出させるのに十分な大きさとなっている。例えば、開口部１０４ｂの矩形状の縁とコネクタ１１６，１１７との間には所定の隙間が設けられている。開口部１０４ｂの縦縁とコネクタ１１６，１１７の縦方向の外形線との間には、コネクタ１１６，１１７の左右の幅より大きい隙間が設けられている。
また、コネクタ１１６，１１７はカバー部材１０４の表面１０４ｓより後方に向けて突出している。
【００４２】
そして、コネクタ１１６，１１７にハーネスＣ１，Ｃ２が接続され、このハーネスＣ１，Ｃ２は、開口部１０４ｂから後方に突出し、カバー部材１０４の表面１０４ｓから所定の高さ位置で開口部１０４ｂに向けて折り返されている。折り返されたハーネスＣ１は開口部１０４ｂの一方（図７において左方）の縦縁から中継基板１０３の裏面側に引き回されたうえで、図４に示すように、中継基板１０３の切欠部１０３ａ、ケーシング１０６に設けられた挿通孔１０６ｈを通って、ＬＥＤ基板１１２のコネクタ１１２ｃに接続されている。また、折り返されたハーネスＣ２は開口部１０４ｂの他方（図７において右方）の縦縁から中継基板１０３の裏面側に引き回されたうえで、図４に示すように、中継基板１０３の切欠部１０３ｂ、ケーシング１０６に設けられた挿通孔１０６ｈを通って、モータ１０７用の図示しない基板のコネクタに接続されている。なお、図８においては、ハーネスＣ１，Ｃ２は図示を省略している。
【００４３】
開口部１０４ｃはコネクタ１１５をカバー部材の１０４の表面側に露出させるのに十分な大きさとなっている。例えば、開口部１０４ｃの矩形状の縁とコネクタ１１５との間には所定の隙間が設けられている。また、コネクタ１１５はカバー部材１０４の表面１０４ｓより後方に向けて突出している。
【００４４】
また、カバー部材１０４の表面１０４ｓには、少なくともコネクタ１１５，１１６，１１７より後方（図７においてＺ方向右側）に突出する突出部１２０，１２１が立設されている。この突出部１２０，１２１は、コネクタ１１６，１１７に接続されているハーネスＣ１，Ｃ２のうち、カバー部材１０４の表面１０４ｓ上に位置する部分より後方に突出している。
すなわち、突出部１２０はコネクタ１１６，１１７の近傍、例えば、開口部１０４ｂの開口縁部（縦縁部）の近傍に立設されている。突出部１２０は矩形板状に形成されており、先端側ほど薄くなっている。この突出部１２０の先端は前記ハーネスＣ１，Ｃ２の折曲部位Ｃ１ａ，Ｃ２ａより後方に突出している。ハーネスＣ１，Ｃ２はカバー部材１０４の開口部１０４ｂより突出しており、表面１０４ｓからの突出高さが最も高い部分は折曲部位Ｃ１ａ，Ｃ２ａであるので、突出部１２０の先端はこの折曲部位Ｃ１ａ，Ｃ２ａより後方に突出している。
突出部１２１はコネクタ１１５の近傍、例えば、開口部１０４ｃの開口縁部（縦縁部）の近傍に立設されている。突出部１２１は円柱状に形成されており、その先端は前記ハーネスＣ１，Ｃ２の折曲部位Ｃ１ａ，Ｃ２ａより後方に突出している。
【００４５】
このように突出部１２０，１２１は、少なくともコネクタ１１５，１１６，１１７より後方に突出しているが、突出部１２０，１２１の突出高さは以下のように設定されている。
すなわち、図９に示すように、演出ボタンユニット１００を例えば作業台１５０に載置し（仮置きし）、突出部１２０，１２１およびカバー部材１０４の端部１０４ｔが作業台１５０の上面に当接することによって、演出ボタンユニット１００が支持されている場合に、ハーネスＣ１，Ｃ２の折曲部位Ｃ１ａ，Ｃ２ａおよびコネクタ１１５が作業台１５０の上面に接触しないように、突出部１２０，１２１の表面１０４ｓからの突出高さが設定されている。このように突出部１２０，１２１の突出高さを設定する場合、突出部１２０，１２１をコネクタ１１５，１１６，１１７の近傍に設けることによって、突出部１２０，１２１の長さ（高さ）を極力短く設定できるが、突出部１２０，１２１はコネクタ１１５，１１６，１１７の近傍に設けなくてもよいし、突出部の本数は２本に限ることはない。突出部を１本としても、この突出部とカバー部材１０４の縁部によって演出ボタンユニット１００を作業台１５０の上面に支持できる。また、突出部を３本以上としてもよい。さらに、カバー部材１０４の外周縁部の少なくとも一部を表面１０４ｓより突出させれば、この突出している部分を突出部としてもよい。いずれの場合にしても、突出部の突出高さはハーネスＣ１，Ｃ２の折曲部位Ｃ１ａ，Ｃ２ａおよびコネクタ１１５が作業台１５０の上面に接触しないような高さに設定すればよい。
【００４６】
以上のように本実施の形態によれば、演出ボタンユニット１００の外面（カバー部材１０４の表面１０４ｓ）に少なくともコネクタ１１５，１１６，１１７よりも突出する突出部１２０，１２１が設けられているので、演出ボタンユニット１００を遊技機に組み付ける際に、当該演出ボタンユニット１００をそのコネクタ１１５，１１６，１１７が配置されている外面（カバー部材１０４の表面１０４ｓ）を下側に向けて作業台１５０に仮置きしても、突出部１２０，１２１が作業台１５０に接触することによって、コネクタ１１５，１１６，１１７が作業台１５０に接触するのを防止できる。
また、演出ボタンユニット１００の輸送中は１１５，１１６，１１７が輸送箱の内壁に接触することによって、コネクタ１１５，１１６，１１７が当該内壁に接触するのを防止できる。
したがって、遊技機への組付け時や輸送時に演出ボタンユニット１００のコネクタ１１５，１１６，１１７の故障を防止できる。
【００４７】
また、突出部１２０，１２１がコネクタ１１５，１１６，１１７の近傍に配置されているので、突出部１２０，１２１をコネクタ１１５，１１６，１１７から前記近傍より遠い位置に配置する場合に比して、突出部１２０，１２１の突出長さ（高さ）を短くできる。
【００４８】
また、突出部１２０，１２１が、コネクタ１１６，１１７に接続されているハーネスＣ１，Ｃ２のうち外面（表面１０４ｓ）上に位置する部分より突出しているので、演出ボタンユニット１００を遊技機に組み付ける際に、当該演出ボタンユニット１００をそのコネクタ１１６，１１７が配置されている外面を下側に向けて作業台１５０に仮置きしても、突出部１２０，１２１が作業台１５０に接触することによって、ハーネスＣ１，Ｃ２が作業台１５０に接触するのを防止できる。
また、演出ボタンユニット１００の輸送中は突出部１２０，１２１が輸送箱の内壁に接触することによって、ハーネスＣ１，Ｃ２が当該内壁に接触するのを防止できる。
したがって、遊技機への組付け時や輸送時にハーネスＣ１，Ｃ２からコネクタ１１６，１１７に無理な力が作用するのを防止できるので、遊技機への組付け時や輸送時に演出ボタンユニット１００のコネクタ１１６，１１７の故障を防止できる。
【００４９】
なお、本実施の形態では、電装品として演出ボタンユニット１００を採用した場合を例にとって説明したが、電装品は演出ボタンユニット１００に限ることはない。電装品は、遊技機に組み付けられるとともに、外面と面一かまたは当該外面から突出するコネクタを備えたものであればよく、また、全体が遊技機の内部に組み込まれる電装品であってもよいし、一部または全部が遊技機の前面側に露出する電装品であってもよい。
また、本実施の形態では、コネクタ１１５，１１６，１１７を有する中継基板１０３をケーシング１０６の裏面に取り付け、中継基板１０３のほぼ全体を覆うようにカバー部材１０４を設け、このカバー部材１０４にコネクタ１１５，１１６，１１７をカバー部材１０４の表面１０４ｓから突出させた場合を例にとって説明したが、本発明はカバー部材を備えておらず、コネクタが電装品の外面から突出しているものであれば適用できる。
【符号の説明】
【００５０】
Ｍ  スロットマシン（遊技機）
１００  演出ボタンユニット（電装品）
１０４ｓ  表面（電装品の外面）
１１５，１１６，１１７  コネクタ
１２０，１２１  突出部
Ｃ１，Ｃ２  ハーネス（接続ケーブル）
【図１】
2019017528.tif 000003
【図２】
2019017528.tif 000004
【図３】
2019017528.tif 000005
【図４】
2019017528.tif 000006
【図５】
2019017528.tif 000007
【図６】
2019017528.tif 000008
【図７】
2019017528.tif 000009
【図８】
2019017528.tif 000010
【図９】
2019017528.tif 000011